(57)【要約】【課題】サプライヤーを推薦する方法の提供。【解決手段】本発明は一種のサプライヤーを推薦する方法であり、その特色は、ユーザーが商品に対してソーシャルメディア操作を行いたいとき、アンケートを利用してユーザーが商品と同類の商品に対して購入したいと思っているか或いは詳しく知りたいと思っているかを調査し、比較的多くのユーザーが購入したいと思っている商品のサプライヤーを合作対象としてふるい分けし、それに商品の購入頁或いは広告頁を提供させ、並びに商品のサプライヤーの購入頁或いは広告頁と商品を購入したいと思っているか或いは詳しく知りたいと思っているユーザーとを結びつける。【選択図】図１Ｂ
2015191669.tif 000002
【特許請求の範囲】
【請求項１】
サプライヤーを推薦する方法において、
サーバーが少なくとも一つのサプライヤーと該サプライヤーに関連する少なくとも一つの商品を記録するステップ、
少なくとも一つのユーザーが該サーバーにログインし並びに該商品を一つの集合に属すると定義するステップ、
該ユーザーが該集合に関連するソーシャルメディア操作命令を伝送するステップ、
該サーバーが該集合に関連する少なくとも一つのアンケートを該ユーザーに伝送するステップ、
該ユーザーが該アンケートに関連するアンケート結果を該サーバーに伝送するステップ、
該サーバーが該ソーシャルメディア操作命令を実行するステップ、
該サーバーが該アンケート結果により該商品を購入したいか該商品を理解したい該ユーザーを統計して該商品を順序づけするステップ、
該サーバーが該商品の順序により該サプライヤーの一つの購入頁或いは一つの広告頁を該商品に関連づけるステップ、
以上のステップを含むことを特徴とする、サプライヤーを推薦する方法。
【請求項２】
請求項１記載のサプライヤーを推薦する方法において、該サーバーが該商品の順序により、該サプライヤーの該購入頁或いは該広告頁を該商品に関連づけた後、そのステップはさらに、該アンケート結果が該ユーザーが該商品を理解したいことを表示していれば、該サーバーは該ユーザーのユーザー情報を該サプライヤーに伝送し並びに該広告頁を該ユーザーに伝送するステップ、を含むことを特徴とする、サプライヤーを推薦する方法。
【請求項３】
請求項２記載のサプライヤーを推薦する方法において、該サーバーが該ユーザーの該ユーザー情報を該サプライヤーに伝送し並びに該広告頁を該ユーザーに伝送した後、そのステップはさらに、
該ユーザーが該広告頁を閲覧するステップ、及び、
該サーバーが該広告頁を閲覧した該ユーザーを統計し並びに該広告頁を閲覧した該ユーザーの統計結果或いは該ユーザー情報を該サプライヤーに伝送するステップ、
を含むことを特徴とする、サプライヤーを推薦する方法。
【請求項４】
請求項１記載のサプライヤーを推薦する方法において、該サーバーが該商品の順序により該サプライヤーの該購入頁或いは該広告頁を該商品に関連づけた後、そのステップはさらに、
もし該アンケート結果が該ユーザーが該商品を購入したいことを示していれば、該サーバーは該ユーザーのユーザー情報を該サプライヤーに伝送し並びに該購入頁を該ユーザーに伝送するステップ、
を含むことを特徴とする、サプライヤーを推薦する方法。
【請求項５】
請求項４記載のサプライヤーを推薦する方法において、該サーバーが該ユーザーのユーザー情報を該サプライヤーに伝送し並びに該購入頁を該ユーザーに伝送した後に、そのステップはさらに、
該ユーザーが該購入頁を通して該商品を購入するステップ、及び、
該サーバーが該購入頁を通して該商品を購入した該ユーザーを統計し並びに該購入頁を通して該商品を購入した該ユーザーの統計結果或いは該ユーザー情報を該サプライヤーに伝送するステップ、
を含むことを特徴とする、サプライヤーを推薦する方法。
【請求項６】
請求項１記載のサプライヤーを推薦する方法において、該ソーシャルメディア操作命令はメッセージ発表命令、メッセージ応答命令、追跡命令、共有命令、イベントに応募する命令或はハイパーリンクをクリックしてウェブページを開く命令とされることを特徴とする、サプライヤーを推薦する方法。
【請求項７】
請求項６記載のサプライヤーを推薦する方法において、該サーバーが該商品の順序により該サプライヤーの該購入頁或いは該広告頁を該商品に関連づけた後、そのステップはさらに、
該ソーシャルメディア操作命令が追跡命令であれば、該サーバーが該ユーザーのユーザー情報を該サプライヤーに伝送するステップ、
を含むことを特徴とする、サプライヤーを推薦する方法。
【請求項８】
請求項６記載のサプライヤーを推薦する方法において、該サーバーが該商品の順序により該サプライヤーの該購入頁或いは該広告頁を該商品に関連づけた後、そのステップはさらに、
該ソーシャルメディア操作命令が追跡命令であれば、該サーバーは該購入頁或いは該広告頁を該ユーザーに伝送するステップ、
を含むことを特徴とする、サプライヤーを推薦する方法。
【請求項９】
請求項８記載のサプライヤーを推薦する方法において、該サーバーが該購入頁或いは該広告頁を該ユーザーに伝送した後、そのステップはさらに、
該ユーザーが該広告頁を閲覧するステップ、及び、
該サーバーが該広告頁を閲覧した該ユーザーを統計し、並びに該広告頁を閲覧した該ユーザーの統計結果或いは該ユーザー情報を該サプライヤーに伝送するステップ、
を含むことを特徴とする、サプライヤーを推薦する方法。
【請求項１０】
請求項８記載のサプライヤーを推薦する方法において、該サーバーが該購入頁或いは該広告頁を該ユーザーに伝送した後、そのステップはさらに、
該ユーザーが該購入頁を通して該商品を購入するステップ、及び、
該サーバーが該購入頁を通して該商品を購入した該ユーザーを統計し並びに該購入頁を通して該商品を購入した該ユーザーの統計結果或いは該ユーザー情報を該サプライヤーに伝送するステップ、
を含むことを特徴とする、サプライヤーを推薦する方法。
【発明の詳細な説明】
【技術分野】
【０００１】
本発明は一種のサプライヤーを推薦する方法に係り、特に一種の、アンケートによりユーザーの商品に対する購入希望を調査して、比較的多くのユーザーが購入の希望を有する商品のサプライヤーをふるい分け、商品の購入頁を提供する方法に関する。
【背景技術】
【０００２】
１９９０年代以来、ワールドワイドウェブ(world wide web)は２０年という短期間で現在の膨大な規模に成長し、コンピュータ設備とインターネットの普及に伴い、新興の商業モデル「電子商取引(e-commerce)」も勃興発展し、オンラインで販売と購入が行えるため、売買双方が対面せずに各種商業活動を行え、大幅に取り引きの時間と空間の制限を減らし、経済活動を促進する。
【０００３】
台湾の電子商取引市場は、２００５年から開始して迅速に成長し、２０１１年には年間取引額は４３００億新台湾元を突破し、この電子商取引の波は十分なメリットを提供し、多くの新興ネットワークベースの企業を生み、実体通路を有する商店或いはブランドも積極的にネットビジネスを展開し始め、ウェブサイトを通して新たな利益獲得空間を発生することが期待されている。
【０００４】
現在、多くの消費者は、すでにウェブサイトで商品を購入する消費モデルに適応しており、サプライヤー自身或いは第３者業者が架設したウェブサイトで商品を購入し、さらにオンラインで支払い、商品配送などのメカニズムを利用し、消費者が家を出ないでも商品購入、支払い、商品受け取りのステップを完成でき、ショッピングのフローをより簡便とし、自然に消費者の購入意欲を刺激し、消費者の購入希望を高め、これによりビジネスチャンスを創造する。
【０００５】
現在、ウェブサイトを架設し各サプライヤーが販売する商品を提供する第３者業者のほとんどは、受動的にサプライヤーからの合作提案を待っており、主動的にサプライヤーとの合作を開発するメカニズムはなく、主動的に合作を要求するサプライヤーも有効なふるい分けのメカニズムを持たず、このためウェブサイトの販売エネルギーは消費者が興味を持たないサプライヤーにより分散されてしまい、販売表現が比較的良好なサプライヤーに集中的に与えることが難しくなる。このため、本発明の発明者は、一種のサプライヤーを推薦する方法を提供し、方法中にソーシャルメディアサービスを結合し、消費者が商品に対して討論、追跡或いは共有できるようにし、サプライヤーが開催するイベントに応募する或いはハイパーリンクをクリックしてほかのウェブページを開くこともできる。また消費者がソーシャルメディアを使用するとき、関係商品に対して購入したいと思うか（購入希望）或いは商品に対して詳しく知りたいと思うか（理解希望）のアンケート調査を行ない、消費者が示す購入希望に基づき、合作できるサプライヤーをふるい分けし、購入希望の消費者リストによりサプライヤーを引きつけて合作できるようにし、それと共に消費者に向けて商品を購入できるページを提供し、サプライヤーと消費者を結びつける。
【発明の概要】
【発明が解決しようとする課題】
【０００６】
本発明の主要な目的は、一種のサプライヤーを推薦する方法を提供し、ユーザーが商品に対して討論共有を行いたいとき、或はイベントに応募したいとき、或は関連するウェブページを開いたとき、アンケートを利用して該ユーザーの、該商品と同類の商品に対する購入希望或いは理解希望を調査し、比較的多くのユーザーが購入希望を有する商品のサプライヤーを合作対象としてふるい分け、商品の購入頁或いは広告頁を提供できるようにすることにある。
【０００７】
本発明の次の目的は、一種のサプライヤーを推薦する方法を提供し、ユーザーが商品に対して討論共有を行いたいとき、或はイベントに応募したいとき、或は関連するウェブページを開いたとき、アンケートを利用して該ユーザーの商品と同類商品に対する購入希望を調査することで、商品のサプライヤーの購入頁と商品購入希望のユーザーを結びつけることにある。
【０００８】
本発明のまた一つの目的は、一種のサプライヤーを推薦する方法を提供し、ユーザーが商品に対して討論共有を行いたいとき、或はイベントに応募したいとき、或は関連するウェブページを開いたとき、アンケートを利用して、該ユーザーが該商品と同類商品に対して詳しく知りたいと思っているかを調査することで、商品のサプライヤーの広告頁と商品を詳しく知りたいと思っているユーザーを結びつけることにある。
【課題を解決するための手段】
【０００９】
上述の目的を達成するため、本発明は一種のサプライヤーを推薦する方法を提供し、それは、サーバーが少なくとも一つのサプライヤーと該サプライヤーに関連する少なくとも一つの商品を記録するステップ、少なくとも一つのユーザーが該サーバーにログインし並びに該商品をある集合に属すると定義するステップ、該ユーザーが該集合に関連するソーシャルメディア操作命令を伝送するステップ、該サーバーが該集合に関連する少なくとも一つのアンケートを該ユーザーに伝送するステップ、該ユーザーが該アンケートに関連するアンケート結果を該サーバーに伝送するステップ、該サーバーが該ソーシャルメディア操作命令を実行するステップ、該サーバーが該アンケート結果により該商品を購入したいと思うか或いは該商品を詳しく知りたいと思う該ユーザーを統計して該商品を順序づけするステップ、該サーバーが該商品の順序により該サプライヤーの購入頁或いは広告頁を該商品に関連づけるステップ、を含む。
【００１０】
本発明は、該サーバーが該商品の順序により該サプライヤーの該購入頁或いは該広告頁を該商品に関連づけた後、そのステップはさらに、該アンケート結果が該ユーザーが該商品に対して購入したいと思っているか詳しく知りたいと思っていることを表示していれば、該サーバーは該ユーザーのユーザー情報を該サプライヤーに伝送し並びに該購入頁或いは該広告頁を該ユーザーに伝送するステップ、を含む。
【００１１】
本発明は該サーバーが該ユーザーの該ユーザー情報を該サプライヤーに伝送し並びに該購入頁或いは該広告頁を該ユーザーに伝送した後、そのステップはさらに、該ユーザーが該購入頁を通して該商品を購入するか或いは該ユーザーが該広告頁を閲覧するステップ、及び、該サーバーが、該購入頁を通して該商品を購入するか或いは該広告頁を閲覧した該ユーザーを統計し並びに該購入頁を通して該商品を購入するか該広告頁を閲覧した該ユーザーの統計結果或いは該ユーザー情報を該サプライヤーに伝送するステップ、を含む。
【発明の効果】
【００１２】
本発明は一種のサプライヤーを推薦する方法であり、その特色は、ユーザーが商品に対してソーシャルメディア操作を行いたいとき、アンケートを利用して商品と同類の商品に対して購入したいと思うか否か或いは詳しく知りたいと思うか否かを調査し、比較的多くのユーザーが購入したいと思う商品のサプライヤーを合作対象としてふるい分けし、該サプライヤーに商品の購入頁或いは広告頁を提供させ、並びに商品のサプライヤーの購入頁或いは広告頁と商品を購入したいと思う或いは理解したいと思うユーザーとを結びつける。
【図面の簡単な説明】
【００１３】
【図１Ａ】本発明の好ましい実施例の構成装置関係表示図である。
【図１Ｂ】本発明の好ましい実施例のステップフローチャート（一）である。
【図１Ｃ】本発明の好ましい実施例のステップフローチャート（二）である。
【図１Ｄ】本発明の好ましい実施例のステップフローチャート（三）である。
【発明を実施するための形態】
【００１４】
以下に本発明の技術内容、構造特徴、達成する目的及び作用効果について、以下に例を挙げ並びに図面を組み合わせて詳細に説明する。
【００１５】
図１Ａと図１Ｂを併せて参照されたい。それは本発明の第１実施例の構成要件関係表示図及びステップフローチャート（一）である。図１Ａに示されるように、本実施例には、サーバー１、第１サプライヤー２０と該第１サプライヤー２０が供給する第１商品４０、第２サプライヤー２２と該第２サプライヤー２２が供給する第２商品４２、第３サプライヤー２４と該第３サプライヤー２４が供給する第３商品４４、第１ユーザー３０及び第２ユーザー３２を含む。
【００１６】
図１Ｂに示されるように、本発明のサプライヤーを推薦する方法は少なくとも以下のステップを含む。
【００１７】
ステップＳ１０：サーバーが、サプライヤーと該サプライヤーに関連する商品を記録する。
【００１８】
ステップＳ１１：ユーザーが該サーバーにログインし並びに該商品をある集合に属すると定義する。
【００１９】
ステップＳ１２：ユーザーが該集合に関連するソーシャルメディア操作命令を該サーバーに伝送する。
【００２０】
ステップＳ１３：該サーバーが該集合に関連するアンケートを該ユーザーに伝送する。
【００２１】
ステップＳ１４：該ユーザーが該アンケートに関連するアンケート結果を該サーバーに伝送する。
【００２２】
ステップＳ１５：該サーバーが該ソーシャルメディア操作命令を実行する。
【００２３】
ステップＳ１６：該サーバーが該アンケート結果により商品に対して購入したいと思っているか或いは詳しく知りたいと思っている該ユーザーを統計して商品を順序づけする。
【００２４】
ステップＳ１７：該サーバーが該商品の順序により該サプライヤーの購入頁或いは広告頁を該商品に関連づける。
【００２５】
ステップＳ１０中、該サーバー１は該第１商品４０が該第１サプライヤー２０に関連し、該第２商品４２が該第２サプライヤー２２に関連し、該第３商品４４が該第３サプライヤー２４に関連すると記録する。
【００２６】
本発明のサプライヤーを推薦する方法の、そのうち一つの目的は、複数のサプライヤー中より優先的に合作するサプライヤーをふるい分けし、ウェブサイトを提供する第３者業者が主動的に各領域の各商品とそのサプライヤーのリストを収集できるようにすることにあり、並びにステップＳ１０中、各商品と各サプライヤーの関連性が該サーバー１に記録されることで、後続のアンケート調査の結果をふるい分けして比較的多くのユーザーが購入したいと思っている商品のサプライヤーを、優先的に合作する対象となすのに利用する。
【００２７】
ステップＳ１１では、該第１ユーザー３０が該サーバー１にログインし並びに該第１商品４０と該第２商品４２が同じく一つの集合１０に属すると定義する。該第２ユーザー３２が該サーバー１にログインし、並びに該第１商品４０と該第３商品４４が同じく該集合１０に属すると定義する。
【００２８】
本発明のサプライヤーを推薦する方法中、複数のユーザーによりステップＳ１１を通して自分で各商品間の関連性を定義し、該サーバー１は各ユーザーが同じ集合に属すると定義した各商品を対比して、同じ集合に属すると重複して定義された回数を以て各商品の関連性を計算し、後続のアンケート調査のときに併せてユーザーに関係すると定義された商品を調査する。
【００２９】
ステップＳ１２中、該第１ユーザー３０は該集合１０の該第１商品４０に関連する第１ソーシャルメディア操作命令を伝送し、該第１ソーシャルメディア操作命令はメッセージ発表命令とされ、該第１商品４０に対してメッセージを発表する。該第２ユーザー３２は該集合１０の該第３商品４４に関連する第２ソーシャルメディア操作命令を伝送し、該第２ソーシャルメディア操作命令は追跡命令とされ、該第３商品４４の関係消息を追跡するよう設定する。
【００３０】
本発明のサプライヤーを推薦する方法中、各ユーザーは各種のソーシャルメディア操作命令を利用して各集合或いは各集合に属する商品に対してソーシャルメディア操作を行い、たとえば、メッセージ発表命令、メッセージ応答命令、追跡命令、共有命令、イベントに応募する命令或はハイパーリンクをクリックしてウェブページを開く命令とされ、特定の集合或いは特定の商品に対してメッセージを発表するか応答し、或いは特定の集合或いは特定の商品を追跡或いは共有し、或はハイパーリンクをクリックしてほかのウェブページを開き、ステップＳ１２中で実行するソーシャルメディア操作は、後続のアンケート調査をトリガし、ユーザーに、アンケート調査を組み合わせさせ、アンケート調査完成前にソーシャルメディア操作命令は実行されることがない。
【００３１】
ステップＳ１３中、該サーバー１は該集合１０に関連する該第１商品４０、該第２商品４２及び該第３商品４４に関連する第１アンケートを該第１ユーザー３０に伝送し、並びに該集合１０の該第１商品４０、該第２商品４２及び該第３商品４４に関連する第２アンケートを該第２ユーザー３２に伝送する。
【００３２】
本発明のサプライヤーを推薦する方法中、ユーザーがソーシャルメディア操作を実行する商品に対して購入したいと思っているか或いは詳しく知りたいと思っているかの調査を優先するが、また併せてステップＳ１３でユーザーがこの商品が所属する集合内のその他の任意の商品に対して購入したいと思っているか或いは詳しく知りたいと思っているかの調査を行ってもよい。
【００３３】
ステップＳ１４中、該第１ユーザー３０は該第１アンケートに関連する第１アンケート結果を、該サーバー１に伝送することで、該第１アンケートに応答し、該第１アンケート結果は該第１ユーザー３０が該第１商品４０と該第２商品４２に対して購入したいと思っていることを表示し、該第３商品４４に対しては購入したいと思わず詳しく知りたいとも思っていないことを表示する。該第２ユーザー３２は該第２アンケートに関連する第２アンケート結果を該サーバー１に伝送することで該第２アンケートに応答し、該第２アンケート結果は、該第２ユーザー３２が該第１商品４０に対して購入したいと思っており、該第２商品４２と第３商品４４に対して詳しく知りたいと思っていることを表示する。
【００３４】
本発明のサプライヤーを推薦する方法中、ステップＳ１４を通して調査するユーザーに対するアンケートは、集合或いは商品に対して購入したいと思っているか或いは詳しく知りたいと思っているかを含み、選択項は、最少でも、「購入したいと思っている」、「詳しく知りたいと思っている」、「購入したくない」の３項があり、ユーザーの選択に供される。
【００３５】
ステップＳ１５中、該サーバー１は、該第１ユーザー３０がステップＳ１２中で伝送した、該集合１０の該第１商品４０に関連する該第１ソーシャルメディア操作命令を実行し、該第１商品４０に対してメッセージを発表する。該サーバー１は並びに該第２ユーザー３２がステップＳ１２中で該集合１０の該第３商品４４に関連して伝送した該第２ソーシャルメディア操作命令を実行し、該第３商品４４の関係情報の追跡設定をする。
【００３６】
本発明のサプライヤーを推薦する方法中、該サーバー１はユーザーのアンケート結果を受け取った後、ステップＳ１５を通しユーザーがもともとステップＳ１２で商品に対して伝送したソーシャルメディア操作命令を実行し、この二つのステップは、アンケート調査とソーシャルメディア操作を結合させて、ユーザーが第３者の業者が架設したウェブサイトを利用してソーシャルメディア機能を提供するときに、第３者の業者がユーザーの各商品に対する購入希望或いは詳しく知りたい希望を収集し、優先合作するサプライヤーをふるい分けするのに協力させる。
【００３７】
ステップＳ１６中、該サーバー１は該第１アンケート結果と該第２アンケート結果により、商品を購入したいと思っているか或いは詳しく知りたいと思っているユーザーを統計し、商品を順序づけし、統計により、該第１商品４０は該第１ユーザー３０と該第２ユーザー３２が購入したいと思っており、該第２商品４２は該第１ユーザー３０が購入したいと思っており、該第３商品４４は該第２ユーザー３２が詳しく知りたいと思っていることがわかり、該サーバー１は購入したいと思っているユーザーの数量により商品を順序づけし、該第１商品４０、該第２商品４２、該第３商品４４の順序を得る。
【００３８】
本発明のサプライヤーを推薦する方法は、ステップＳ１６で、購入したいと思っているか或いは詳しく知りたいと思っているユーザーの数量を以て商品を順序づけするが、購入したいと思っているユーザーの数量が主要な順序づけの根拠とされ、その商品を購入したいと思っているユーザーの数が多いほど、サプライヤーはますます第３者の業者と合作して購入商品を提供するサービスに同意することになる。
【００３９】
ステップＳ１７中、該サーバー１はステップＳ１６で得た該第１商品４０、該第２商品４２、該第３商品４４の順序により、優先的に該第１サプライヤー２０と合作して商品の販売を行うことを話し合い、もし該第１サプライヤー２０が合作に同意すれば、該第１商品４０の購入に供される第１購入頁４００（及び該第１商品４０を宣伝する第１広告頁４０２）を、該第１商品４０に関連づけ、その次に、該第２サプライヤー２２と合作して商品を販売することを話し合い、もし該第２サプライヤー２２が合作に同意すれば、該第２商品４２の購入に供される第２購入頁４２０を該第２商品４２に関連づけ、また、該第３商品４４は該第２ユーザー３２が詳しく知りたいと思っていることを表示しているため、該第３サプライヤー２４と合作し広告を行うことを話し合い、もし該第３サプライヤー２４が合作に同意すれば、該第３商品４４を宣伝する第３広告頁４４０を該第３商品４４に関連づける。
【００４０】
本発明のサプライヤーを推薦する方法は、ステップＳ１６中で購入したいと思っているか或いは詳しく知りたいと思っているユーザーの数量により商品を順序づけし、比較的多くのユーザーが購入したいと思っているか或いは詳しく知りたいと思っている商品のサプライヤーを優先的に合作販売或いは広告の対象として推薦し、並びにステップＳ１７で、合作の話し合いが成功したサプライヤーの購入頁或いは広告頁をその商品に関連づけ、ユーザーが第３者の業者が提供するウェブサイトで商品を購入するか或いは広告情報を閲覧できるようにする。
【００４１】
上述の構成要件の設置とステップＳ１０からステップＳ１７の実施により、本発明のサプライヤーを推薦する方法は、ユーザーが第３者の業者が提供するソーシャルメディア操作機能を利用して商品に対して討論共有を行うとき、或はイベントに応募するとき、或は関連するウェブページを開くとき、アンケート調査を利用してユーザーの商品或いは関係商品に対する購入希望或いは詳しく知りたい希望を収集することで、第３者の業者に優先的に、多数のユーザーが購入を希望する商品のサプライヤーとの合作を推薦し、第３者の業者がユーザーとサプライヤーを結びつけて確実に利益を得ることができるようにする。
【００４２】
図１Ａに併せて図１Ｃを参照されたい。それは本発明の第１実施例のステップフローチャート（二）である。図１Ｃに示されるように、本発明のサプライヤーを推薦する方法は、ステップＳ１７の後に、さらに以下のステップを含み得る。
【００４３】
ステップＳ２０：サーバーが、ユーザーが商品に対して購入したいと思っているか或いは詳しく知りたいと思っているかを判断する。
【００４４】
ステップＳ２１１：サーバーがユーザーのユーザー情報をサプライヤーに伝送し並びに購入頁をユーザーに伝送する。
【００４５】
ステップＳ２２１：ユーザーが購入頁を通して商品を購入する。
【００４６】
ステップＳ２３１：サーバーが購入頁を通して商品を購入したユーザーを統計し、並びに統計結果或いはユーザー情報をサプライヤーに伝送する。
【００４７】
ステップＳ２１２：サーバーがユーザーのユーザー情報をサプライヤーに伝送し、並びに広告頁をユーザーに伝送する。
【００４８】
ステップＳ２２２：ユーザーが広告頁を閲覧する。
【００４９】
ステップＳ２３２：サーバーが広告頁を閲覧したユーザーを統計し並びに統計結果或いはユーザー情報をサプライヤーに伝送する。
【００５０】
ステップＳ２１３：サーバーがユーザーのユーザー情報をサプライヤーに伝送せず、勝つ購入頁或いは広告頁をユーザーに伝送しない。
【００５１】
ステップＳ２０中、該サーバー１は該第１アンケート結果と該第２アンケート結果によりそれぞれ該第１ユーザー３０と該第２ユーザー３２が該第１商品４０、該第２商品４２、及び該第３商品４４に対して購入したいと思っているか或いは詳しく知りたいと思っているかを判断する。前述したように、該第１ユーザー３０は該第１アンケート結果により該第１商品４０と該第２商品４２に対して購入したいと思っていることを表示しており、並びに該第３商品４４に対して購入したいと思っていないことを表示している。該第２ユーザー３２は該第２アンケート結果により該第１商品４０に対して購入したいと思っていることを表示し、並びに該第２商品４２と該第３商品４４に対しては詳しく知りたいと思っていることを表示している。
【００５２】
もし、該サーバー１が特定のユーザーが特定の商品を購入したいと思っていると判断し、たとえば、該第１ユーザー３０が該第１商品４０と該第２商品４２を購入したいと思っており、該第２ユーザー３２が該第１商品４０を購入したいと思っていると判断すれば、ステップＳ２１１に進み、該サーバー１は該第１ユーザー３０の第１ユーザー情報３００と該第２ユーザー３２の第２ユーザー情報３２０を該第１サプライヤー２０に伝送し、並びに該第１購入頁４００を該第１ユーザー３０と該第２ユーザー３２に伝送し該第１商品４０の購入に供し、また、該サーバー１は該第１ユーザー３０の第１ユーザー情報３００を該第２サプライヤー２２に伝送し、並びに該第２購入頁４２０を該第１ユーザー３０に伝送して該第２商品４２の購入に供する。
【００５３】
本発明のサプライヤーを推薦する方法は、ステップＳ２１１を通して特定の商品を購入希望であるユーザー及び特定の商品を供給するサプライヤーを結びつけ、第３者の業者により、商品を購入したいと思っているユーザーの情報を掌握させてサプライヤーに第３者の業者と合作してその商品を販売することに同意するための誘因となし、ユーザーは商品の購入希望をフィードバックし、またサプライヤーと第３者の業者の合作成立後に商品の購入頁を取得でき、売買双方の要求を連繋させられる。
【００５４】
ステップＳ２１１の後に、ステップＳ２２１からステップＳ２３１を実行でき、該第１ユーザー３０と該第２ユーザー３２が該第１購入頁４００を通して該第１商品４０を購入した後、該サーバー１は該第１購入頁４００を通して該第１商品４０を購入したユーザーを統計し並びに統計結果或いは該第１ユーザー３０の該第１ユーザー情報３００と該第２ユーザー３２の該第２ユーザー情報３２０を該第１サプライヤー２０に伝送する。また、該第１ユーザー３０が該第２購入頁４２０を通して該第２商品４２を購入した後、該サーバー１は該第２購入頁４２０を通して該第２商品４２を購入したユーザーを統計し並びに統計結果或いは該第１ユーザー３０の該第１ユーザー情報３００を該第２サプライヤー２２に伝送する。
【００５５】
本発明のサプライヤーを推薦する方法は、ステップＳ２２１からステップＳ２３１を通して特定の商品を購入するユーザーを統計し並びに統計結果或いはユーザー情報を商品のサプライヤーに伝送し、サプライヤーが商品の集金と出荷などを適切に処理できるようにし、また、特定の商品を購入したユーザーの統計結果をサプライヤーの販売管理或いは宣伝のデータとなす。
【００５６】
もしサーバー１が、特定のユーザーが特定の商品を理解したいと、たとえば、該第２ユーザー３２が該第２商品４２と該第３商品４４を理解したいと判断すれば、ステップＳ２１２に進み、該サーバー１は該第２ユーザー３２の該第２ユーザー情報３２０を該第２サプライヤー２２と該第３サプライヤー２４に伝送し、並びに該第２広告頁４２２と該第３広告頁４４０を該第２ユーザー３２に伝送する。
【００５７】
本発明のサプライヤーを推薦する方法は、ステップＳ２１２により特定の商品を理解したいユーザー及び特定の商品を供給するサプライヤーを結びつけ、第３者の業者に商品を理解したいユーザーの情報を掌握させ、サプライヤーに第３者の業者と合作してその商品を販売或いは宣伝させる誘因となし、ユーザーは商品を詳しく知りたい希望をフィードバックし、またサプライヤーと第３者の業者の合作成立後に商品の広告頁を取得でき、双方の要求を連繋させられる。
【００５８】
ステップＳ２１２の後に、ステップＳ２２２からステップＳ２３２を実行でき、該第２ユーザー３２は該第２広告頁４２２或いは該第３広告頁４４０を閲覧して該第２商品４２と該第３商品４４の広告情報を獲得でき、その後、該サーバー１は該第２広告頁４２２と該第３広告頁４４０を閲覧したユーザーをそれぞれ統計し並びにそれぞれ統計結果或いは該第２ユーザー３２の該第２ユーザー情報３２０を該第２サプライヤー２２或いは該第３サプライヤー２４に伝送する。
【００５９】
本発明のサプライヤーを推薦する方法は、ステップＳ２２２からステップＳ２３２を通して特定の商品の広告情報を閲覧したユーザーを統計し並びに統計結果或いはユーザー情報を商品のサプライヤーに伝送することを以て、サプライヤーの販売管理或いは宣伝データとなす。
【００６０】
もし該サーバー１が特定のユーザーが特定の商品を購入したくないと、たとえば、該第１ユーザー３０が該第３商品４４を購入したくないと判断すれば、ステップＳ２１３に進み、該サーバー１は該第１ユーザー３０の該第１ユーザー情報３００を該第３商品４４の該第３サプライヤー２４に伝送せず、また、該第３商品４４の該第３広告頁４４０を該第１ユーザー３０に伝送しない。
【００６１】
上述の構成要件の設置と、ステップＳ２０〜ステップＳ２３２或いはステップＳ２１３の実施により、本発明のサプライヤーを推薦する方法は、商品の購入サービスと商品を購入したいと思っているユーザー或いは商品の広告と商品を詳しく知りたいと思っているユーザーを結びつけ、商品のサプライヤーに、商品を購入或いは詳しくしりたいと思っているユーザーの統計結果或いはユーザーデータを取得させ、並びに商品を購入或いは詳しく知りたいユーザーに商品の購入頁或いは広告頁を取得させることで、商品を購入させるか或いは商品の広告情報を閲覧させる。
【００６２】
図１Ａに図１Ｄを併せて参照されたい。それは本発明の第１実施例のステップフローチャート（三）である。図１Ｄに示されるように、本発明のサプライヤーを推薦する方法はステップＳ１７の後にさらに以下に列記されるステップを含み得る。
【００６３】
ステップＳ３０：サーバーがソーシャルメディア操作命令が追跡命令であるか否かを判断する。
【００６４】
ステップＳ３１１：サーバーが購入頁をユーザーに伝送する。
【００６５】
ステップＳ３２１：ユーザーが購入頁を通して商品を購入する。
【００６６】
ステップＳ３３１：サーバーが購入頁を通して商品を購入したユーザーを統計し並びに統計結果或いはユーザー情報をサプライヤーに伝送する。
【００６７】
ステップＳ３１２：サーバーが広告頁をユーザーに伝送する。
【００６８】
ステップＳ３２２：ユーザーが広告頁を閲覧する。
【００６９】
ステップＳ３３２：サーバーが広告頁を閲覧したユーザーを統計し並びに統計結果或いはユーザー情報をサプライヤーに伝送する。
【００７０】
ステップＳ３１３：サーバーが購入頁と広告頁をユーザーに伝送しない。
【００７１】
ステップＳ３０中、該サーバー１はそれぞれステップＳ１２で該第１ユーザー３０が伝送した該第１商品４０に関連する該第１ソーシャルメディア操作命令及び該第２ユーザー３２が伝送する該第３商品４４に関連する該第２ソーシャルメディア操作命令が追跡命令であるか否かを判断する。
【００７２】
もし該サーバーが特定のソーシャルメディア操作命令が追跡命令であると、たとえば、該第２ユーザー３２が伝送した該第３商品４４に関連する該第２ソーシャルメディア操作命令が追跡命令であると判断すれば、ステップＳ３１１或いはステップＳ３１２に進み、該サーバー１は該第３広告頁４４０或いは該第３商品４４に関連する第３購入頁（図中には示されず）を該第２ユーザー３２に伝送することで、該第２ユーザー３２が該第３商品４４の広告情報を取得するか或いは該第３商品４４を購入できるようにする。
【００７３】
本発明のサプライヤーを推薦する方法は、ステップＳ３１１で特定の商品のユーザーが取得した商品の購入頁或いは広告頁を通して、特定の商品の購入或いは特定の商品の広告情報が閲覧されたかを追跡する。
【００７４】
ステップＳ３１１の後にステップＳ３２１からステップＳ３１１が実行され得て、該第２ユーザー３２は該第３購入頁を通して該第３商品４４を購入した後、該サーバー１が該第３購入頁を通して該第３商品４４を購入したユーザーを統計し並びに統計結果或いは該第２ユーザー３２の該第２ユーザー情報３２０を該第３サプライヤー２４に伝送する。
【００７５】
本発明のサプライヤーを推薦する方法は、ステップＳ３２１からステップＳ３３１を通して特定の商品を購入したユーザーを統計し並びに統計結果或いはユーザー情報を商品のサプライヤーに伝送することで、サプライヤーが商品の販売と出荷を適宜行えるようにし、また特定の商品を購入したユーザーの統計結果は、サプライヤーの販売管理或いは宣伝データとされ得る。
【００７６】
ステップＳ３１２の後に、ステップＳ３２２からステップＳ３２２を実行可能で、該第２ユーザー３２は該第３広告頁４４０を閲覧して該第３商品４４の広告情報を獲得でき、その後、該サーバー１は該第３広告頁４４０を閲覧したユーザーを統計し並びに統計結果或いは該第２ユーザー３２の該第２ユーザー情報３２０を該第３サプライヤー２４に伝送する。
【００７７】
本発明のサプライヤーを推薦する方法は、ステップＳ３２２からステップＳ３３２を通して特定の商品の広告情報を閲覧したユーザーを統計し並びに統計結果或いはユーザー情報を商品のサプライヤーに伝送して、サプライヤーがサプライヤーの販売管理或いは宣伝データとなす。
【００７８】
もし、該サーバー１が特定のソーシャルメディア操作命令が非追跡命令であると、たとえば、該第１ユーザー３０が伝送する該第１商品４０に関連する該第１ソーシャルメディア操作命令がメッセージ発表命令であって、非追跡命令であると判断すれば、ステップＳ３１３に進み、該サーバー１は該第３商品４４の該第３広告頁４４０を該第１ユーザー３０に伝送しない。
【００７９】
上述の構成要件の設置とステップＳ３０からステップＳ３３１或いはステップＳ３３２或いはステップＳ３１３の実施により、本発明のサプライヤーを推薦する方法は、特定の商品のユーザーが、取得した商品の購入頁或いは広告頁を通し、商品を購入したか或いは商品の広告情報を閲覧したかを追跡する。
【００８０】
総合すると、本発明のサプライヤーを推薦する方法は、ユーザーが特定の商品に対してソーシャルメディア操作を実行するときにジャンプするアンケートにより、ユーザーが特定の商品或いは関係商品に対して購入したいと思っているか或いは詳しく知りたいと思っているかを調査し、複数のユーザーが購入したいと思っているか或いは詳しく知りたいと思っている商品のサプライヤーを、優先的に合作するサプライヤーであると決定し、並びにサプライヤーと商品を購入したいと思っているか或いは詳しく知りたいと思っているユーザーとを結びつける。
【００８１】
以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【００８２】
本発明は新規性、進歩性を有し、及び産業上の利用に供され得て、特許の要件を満たすことに疑いはなく、ここに特許出願を致す次第である。
【符号の説明】
【００８３】
１  サーバー
１０  集合
２０  第１サプライヤー
２２  第２サプライヤー
２４  第３サプライヤー
３０  第１ユーザー
３００  第１ユーザー情報
３２  第２ユーザー
３２０  第２ユーザー情報
４０  第１商品
４００  第１購入頁
４０２  第１広告頁
４２  第２商品
４２０  第２購入頁
４２２  第２広告頁
４４  第３商品
４４０  第３広告頁
【図１Ａ】
2015191669.tif 000003
【図１Ｂ】
2015191669.tif 000004
【図１Ｃ】
2015191669.tif 000005
【図１Ｄ】
2015191669.tif 000006